(57)【要約】【課題】腰壁を用いることなく外壁下部と地面との取合い部での止水性・防水性を確保できるようにする。【解決手段】屋根１０と外壁１２とが一体に構成された屋根外壁部材２４を有する建物の屋根外壁構造である。外壁１２の下端と地面との間に緩衝材５４を介装すると共に、当該外壁下端部を内外両側から挟むように、緩衝シート５６，６６を介してコンクリート６０，６４を打設する。屋根外壁部材２４は内外二重に設けられ、その間に断熱材が介装される。また、一実施形態において、屋根外壁部材２４は略Ｕ型に形成されて、屋根１０とその両側の外壁１２を一体に構成する。【選択図】        図６
2005090047.tif 000002
【特許請求の範囲】
【請求項１】
外壁の下端と地面との間に緩衝材を介装すると共に、当該外壁下端部を内外両側から挟むように地面にコンクリートを打設したことを特徴とする外壁構造。
【請求項２】
前記外壁は、折板を複数平行に並べて互いに結合して構成されていることを特徴とする請求項１記載の外壁構造。
【請求項３】
屋根と外壁とが一体の屋根外壁部材により構成されていることを特徴とする請求項１記載の外壁構造。
【請求項４】
前記屋根外壁部材は、屋根と外壁との境界部分で屈曲した折板を複数平行に並べて互いに結合して構成されていることを特徴とする請求項３記載の外壁構造。
【請求項５】
前記屋根外壁部材は略Ｕ型に形成されて、屋根とその両側の外壁とを構成していることを特徴とする請求項３又は４記載の外壁構造。
【請求項６】
前記屋根外壁部材は、略Ｌ型に形成されて、屋根とその片側の外壁とを構成していることを特徴とする請求項３又は４記載の外壁構造。
【請求項７】
前記屋根外壁部材は、内側と外側に間隔を隔てて互いに対向するように設けられ、それらの間に断熱材が介装されていることを特徴とする請求項３〜６のうち何れか１項記載の外壁構造。
【請求項８】
外壁の下端と地面との間に緩衝材を介装すると共に、当該外壁下端部を内外両側から挟むように地面にコンクリートを打設することを特徴とする外壁の構築方法。
【発明の詳細な説明】
【技術分野】
【０００１】
本発明は、建物の外壁構造及び外壁の構築方法に関する。
【背景技術】
【０００２】
従来より、例えば特許文献１に開示されるように、クリーンルーム等の気密性が要求される建物の屋根と外壁とを一体に構成した屋根外壁構造が知られている。この構造では、屋根と外壁との境界部で屈曲された折板を複数平行に並べて結合して、屋根と外壁とを一体に構成している。かかる構造によれば、屋根と外壁との取合い部で結合する必要がないため、この部分でのシールが不要となり、また、表面塗装された折板を用いることで、内装工事も不要となるといった利点がある。また、折板を内外二重構造としてその間に断熱材を装填することにより、優れた断熱性も実現している。
【０００３】
ところで、一般に、鉄骨建物等では、外壁と地面との間の止水性・防水性を確保するため、地面から例えば１ｍ〜１．５ｍ程度の高さまでコンクリート構造とした腰壁を設けられることが多い。上記従来の屋根外壁構造においても、外壁の下部に、このような腰壁を設けることが考えられる。
【特許文献１】特開２００３−１３５５５号公報
【発明の開示】
【発明が解決しようとする課題】
【０００４】
しかしながら、腰壁を設けると、腰壁と外壁との取合い部において、腰壁の上端と外壁の下端とが突き合された構成となり、この部分に隙間が生ずることが不可避であるため、シールや水切りなどの煩雑な作業が必要となる。さらに、外壁を折板で構成した場合には、面戸も必要となる作業は一層煩雑となる。また、腰壁部分には別途断熱施工等の内装工事も必要となる。このように、腰壁を用いた場合には、工期が長くなり、施工コストも増加してしまうという問題がある。
【０００５】
本発明は上記の点に鑑みてなされたものであり、腰壁を用いることなく外壁下部と地面との取合い部での止水性・防水性を確保できるようにすることを目的とする。
【課題を解決するための手段】
【０００６】
上記の目的を達成するため、請求項１に記載された発明に係る外壁構造は、外壁の下端と地面との間に緩衝材を介装すると共に、当該外壁下端部を内外両側から挟むように地面にコンクリートを打設したことを特徴とする。
【０００７】
本発明によれば、外壁の下端と地面との間に緩衝材が介装されるので、外壁が伸縮変形した場合にも、その変形は緩衝材により吸収されて、外壁と地面との間に隙間が生じることはないため、止水性・防水性を確保できる。また、外壁の下端部を内外両側から挟むように地面にコンクリートが打設されるので、外壁下端部での止水性・防水性を確保することが容易となる。なお、緩衝材は、例えば、硬質スタイロフォーム等のように柔軟性を有する部材である。
【０００８】
また、請求項２に記載された発明は、請求項１記載の外壁構造において、前記外壁は、折板を複数平行に並べて互いに結合して構成されていることを特徴とする。
【０００９】
また、請求項３に記載された発明は、請求項１記載の外壁構造において、屋根と外壁とが一体の屋根外壁部材により構成されていることを特徴とする。
【００１０】
また、請求項４に記載された発明は、請求項３記載の外壁構造において、前記屋根外壁部材は、屋根と外壁との境界部分で屈曲した折板を複数平行に並べて互いに結合して構成されていることを特徴とする。
【００１１】
また、請求項５に記載された発明は、請求項３又は４記載の外壁構造において、前記屋根外壁部材は略Ｕ型に形成されて、屋根とその両側の外壁とを構成していることを特徴とする。
【００１２】
また、請求項６に記載された発明は、請求項３又は４記載の外壁構造において、前記屋根外壁部材は、略Ｌ型に形成されて、屋根とその片側の外壁とを構成していることを特徴とする。
【００１３】
また、請求項７に記載された発明は、前記屋根外壁部材は、請求項３〜６のうち何れか１項記載の外壁構造において、内側と外側に間隔を隔てて互いに対向するように設けられ、それらの間に断熱材が介装されていることを特徴とする。
【００１４】
また、請求項８に記載された発明に係る外壁の構築方法は、外壁の下端と地面との間に緩衝材を介装すると共に、当該外壁下端部を内外両側から挟むように地面にコンクリートを打設することを特徴とする。
【発明の効果】
【００１５】
本発明によれば、腰壁を用いることなく外壁下部と地面との取合い部での止水性・防水性を確保することができる。
【発明を実施するための最良の形態】
【００１６】
以下、図面を参照して、本発明に係る屋根外壁構造の一実施形態について説明する。本実施形態の屋根外壁構造は、例えば、気密性および断熱性が要求されるクリーンルーム等の建物の屋根外壁構造として適用される。
【００１７】
図１は、本実施形態の屋根外壁構造の全体を表す鉛直断面図である。また、図２は、本実施形態の屋根外壁構造の一部を示す斜視図である。更に、図３は、本実施形態の屋根外壁構造を構成する折板の斜視図である。
【００１８】
図１に示す如く、本実施形態の屋根外壁構造においては、略Ｕ型に屈曲された屋根外壁板２４により、屋根１０とその両側の外壁１２とが一体に構成されている。この屋根外壁板２４は、図２に示すように、折板１６を屋根と外壁の境界位置にて屈曲し、それら折板１６を複数枚平行に並べて結合して結合することにより構成されている。なお、後述の通り、屋根外壁板２４は建物の内外二重に設けられており、その間に断熱材が装填されている。
【００１９】
折板１６は、短冊状のメッキ鋼板で構成され、従来より屋根部材として用いられているものであり、図３に示すように、平坦な底部１６ａとその両側縁部から曲げ起こされた斜面部１６ｂとからなる略台形状の断面形状を有している。両側の斜面部１６ｂの上端には全長にわたって小鈎１６ｃ，１６ｄが設けられ、複数枚の折板１６を平行に並べたときに、隣接する折板１６同士は、一方の小鈎１６ｃが他方の小鈎１６ｄに重ね合わされて折り曲げられる鈎継ぎによって結合できるようになっている。ただし、折板１６どうしの接続方法は鈎継ぎに限らず、例えば、重ね形折板屋根やかん合型折板屋根における接続方法等のような他の方法を用いることもできる。
【００２０】
折板１６は、屋根１０と両側の外壁１２とを合わせた長さを有し、上述の通り屋根１０と外壁１２との境界位置で折り曲げられて、略Ｕ形状に形成されている。このように形成された折板１６が複数本、互いに平行な状態で、Ｈ形鋼３０や角形鋼管３２等からなる架構に載置されて（図２を参照）、上述した鈎継ぎによって結合される。
【００２１】
図４は、折板１６の鈎継ぎ部分を示す断面図である。同図に示すように鈎継ぎ部分１８の所定の位置に吊子３４が設けられ、この吊子３４によって折板１６が前記クリーンルームの架構に、折板１６の溝形状とほぼ同型状をなすタイトフレーム３６を介して固定される。また、鈎継ぎ部分１８には、その外方から小鈎１６ｃ、１６ｄを包むようにアルミ箔テープ２０で目張りされ、折板１６間の隙間が封止された屋根外壁板２４が形成される。
【００２２】
このように、屋根１０と外壁１２とが短冊状の単一部材でなる折板１６をラジアル加工して連続し繋ぎ目のない周面で形成され、この折板１６が複数枚平行に並べられるとともにそれらの間が隙間無く封止されている。よって、屋根１０と外壁１２とに全く隙間のないクリーンルームを形成することができる。なお、折板１６間の鈎継ぎ部分１８をアルミ箔テープ２０で封止する代わりに、ステンレステープ、ビニールテープ、クリーンテープ等で封止してもよく、また、テープではなくシーリング材で封止してもよい。このように、鈎継ぎ部分１８をクリーンルームの外側からテープやシーリング材で封止することで、たとえテープやシーリング材からガス等が発生してもそのガスによってクリーンルーム内が汚染されることはない。
【００２３】
また、クリーンルームには単に気密性だけでなく断熱性をも要求されるため、本実施形態の屋根外壁構造では図５に示すような二重構造としている。すなわち、折板１６で形成した屋根外壁板２４の外側に、間隔を隔てて、同様に上記折板１６で形成した屋根外壁板２４が配設されている。ここで、内外に位置する屋根外壁板２４間には、適宜な間隔を保持するためのサドル２６が設けられ、屋根外壁板２４間には密閉された空間２８が形成されている。この空間２８内にはグラスウールなどの断熱材２２が装填されて周知のグラスウール止ピン３６で保持されている。なお、二重構造をなす外部側の屋根外壁板２４の鈎継ぎ部分１８には必ずしもテープやシーリング材等による目張りを施す必要はない。
【００２４】
図６は、外壁１２と地面との取合い部を拡大して示す鉛直断面図であり、また、図７は、この取合い部の水平断面図である。図６に示すように、外壁１２が設置される地盤には砕石５０が敷き詰められ、その上に捨てコンクリート５２、５３が打設されている。内側の捨てコンクリート５２の上には、硬質スタイロフォーム等の緩衝材５４が設置され、更に緩衝材５４の上面に外壁１２の下端が当接している。また、外壁１２の下端部の内面にはペフシート等の緩衝シート５６が装着されており、この緩衝シート５６と建物の床コンクリート５８との間に内部コンクリート６０が打設されている。一方、外壁１２の下端部の外面側にも同様に緩衝シート６２が装着されており、この緩衝シート６２が貼り付けられた部分を外側から覆うように、犬走りコンクリート６４が打設されている。そして、犬走りコンクリート６４の上端部と外壁１２の外面との間に沿って三角シール６６が装着されている。
【００２５】
本実施形態の屋根外壁構造を建設する場合、予め、外壁１２の設置予定位置の地面に砕石５０を敷き詰め、その上に捨てコンクリート５２，５３を打設して捨てコンクリート５２の上に緩衝材５４を設置しておく。そして、Ｈ型鋼３０や鋼管３２等からなる架構を構築し、この架構にタイトフレーム３６を溶接する。また、折板１６を屋根１０と外壁１２との境界位置でラジアル加工により円弧状に折り曲げてＵ型に形成する。こうしてＵ型に折り曲げた折板１６をクレーンで吊り上げてタイトフレーム３６にセットし、上述のように、隣接する折板１６を鈎継ぎによって結合して、内側の屋根外壁板２４を構築する。この内側の屋根外壁板２４にグラスウール等の断熱材２２を敷き込んだ後、この断熱材２２の上から挟み込むようにサドル２６を取り付ける。そして、外側の屋根外壁板２４を構成する折板１６を吊り上げて、内側の折板１６の場合と同様に、順次、鈎継ぎによって結合していく。
【００２６】
上記の工程により内側及び外側の屋根外壁部材２４を構築した後、外壁１２の下部の内面に緩衝シート５６を装着し、床コンクリート５８との間に内部コンクリート６０を打設する。また、外壁１２の下部の外面にも緩衝シート６２を装着し、その外側に犬走りコンクリート６４を打設して、養生後、三角シール６６を装着する。
【００２７】
以上説明した本実施形態の屋根外壁構造によれば、二重に設けられた隙間のない屋根外壁板２４によって、より高い気密性を備えたクリーンルームを実現することができるとともに、屋根外壁板２４間に装填された断熱材２２により高い断熱性を確保することもできる。また、断熱材２２を空間２８内に配設する簡単な作業だけで、従来の吹きつけ作業のような養生を必要とする煩雑な作業を行うことなく高い断熱性を実現できる。さらに、屋根外壁板２４を構成する折板１６として塗装鋼板を用いることで、従来必要であった建物内高所での内装作業を不要にすることができる。
【００２８】
また、本実施形態における外壁１２と地面との取合い部の構成によれば、外壁１２を内外両側から挟むように内部コンクリート６０及び犬走りコンクリート６４が地面に打設されるので、外壁１２の下部を確実に保持することができる。
【００２９】
さらに、外壁１２が温度変化に応じて鉛直方向に伸縮した場合、その伸縮は、地面との間に介装された緩衝材５４が変形することにより吸収される。また、屋根外壁板２４の全体の変形により、外壁１２が水平方向に変位した場合も、その変位は内部コンクリート６０及び犬走りコンクリート６４との間に介装された緩衝シート５６，６２の厚み方向の変形により吸収される。このように、屋根外壁板２４が変形してもその変形が緩衝材５４や緩衝シート５６，６２により吸収されることにより、外壁１２と地面との間に隙間が生ずることはない。さらに、外壁１２の外面の犬走りコンクリート６４との間には三角シール６６が装着されているので、犬走りコンクリート６４との間の隙間から水の浸入も確実に防止される。
【００３０】
このように、本実施形態によれば、従前のような腰壁を用いることなく、外壁１２と地面との取合い部における気密性及び止水性・防水性を確保することができる。このため、従来腰壁を用いた場合に必要であった外壁と腰壁との間の面倒なシールや面戸の施工作業が不要になり、また、腰板部分の断熱材の施工工事その他の内装工事も不要となる。したがって、本実施形態によれば、より一層、施工コストの抑制及び工期の短縮を図ることができる。
【００３１】
なお、上記実施形態では、Ｕ型に屈曲された折板１６を用いて屋根１０とその両側の外壁１２とを一体に構成するものとしたが、これに限らず、Ｌ型に屈曲された折板１６を用いて屋根１０と片側の外壁とを一体化する場合も本発明の範囲に含まれる。
【図面の簡単な説明】
【００３２】
【図１】本発明の一実施形態である屋根外壁構造の全体断面図である。
【図２】本実施形態の屋根外壁構造の一部を示す斜視図である。
【図３】本実施形態の屋根外壁構造を構成する折板の斜視図である。
【図４】折板の鈎継ぎ部分を示す断面図である。
【図５】本実施形態の屋根外壁構造の二重構造を示す断面図である。
【図６】本実施形態における外壁と地面との取合い部を拡大して示す鉛直断面図である。
【図７】図６の取合い部の水平断面図である。
【符号の説明】
【００３３】
１０  屋根
１２  外壁
１６  折板
１８  鈎継ぎ部分
２０  アルミ箔テープ
２２  断熱材
２４  屋根外壁板
５０  砕石
５２，５３  捨てコンクリート
５４  緩衝材
５６，６２  緩衝シート
５８  床コンクリート
６０  内部コンクリート
６４  犬走りコンクリート
６６  三角シール
【図１】
2005090047.tif 000003
【図２】
2005090047.tif 000004
【図３】
2005090047.tif 000005
【図４】
2005090047.tif 000006
【図５】
2005090047.tif 000007
【図６】
2005090047.tif 000008
【図７】
2005090047.tif 000009